【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
使い捨ての吸収性物品の吸収性の芯複合材であって、
第１の織物と、
身体側の第２の織物と、
前記第１及び第２の織物の間に位置する複数の超吸収性粒子（ＳＡＰ）凝集体とを含み、
複数の前記ＳＡＰ凝集体の各々の周りで、離間した結合部位の配置が、前記第２の織物を前記第１の織物に固定し、且つポケットを形成し、前記ポケットにおいて前記ＳＡＰ凝集体が前記第１の織物及び前記第２の織物の間に固定されており、
前記ＳＡＰ凝集体の周りの離間した結合部位が、前記ポケットの１つを隣接する前記ポケットと連通させる結合部位間に間隙を提供し、
前記身体側の第２の織物が、前記ＳＡＰ凝集体内で少なくともいくつかの粒子を絡ませる繊維を含む大きな不織布である、上記吸収性の芯複合材。
【請求項２】
各前記ＳＡＰ凝集体には、吸収性マトリックスがない請求項１に記載の吸収性の芯複合材。
【請求項３】
前記第２の織物が、超吸収性粒子の上層で前記ＳＡＰ凝集体に浸透する繊維を含み、前記ＳＡＰ凝集体には、吸収性マトリックスがない請求項１に記載の吸収性の芯複合材。
【請求項４】
第１の織物に塗布され、且つ前記第１の織物に隣接した前記ＳＡＰ凝集体内の粒子の下層に位置決めされる前記ＳＡＰ凝集体の超吸収性粒子と接着接触し、前記ＳＡＰ凝集体の超吸収性粒子を少なくとも部分的に固定する接着パターンを更に含む請求項１に記載の吸収性の芯複合材。
【請求項５】
前記第１の織物に塗布される前記接着パターンが、接着剤のない開放領域を画定する複数の交差するループを含む請求項４に記載の吸収性の芯複合材。
【請求項６】
前記大きな不織布の第２の織物が、１，０００μｍ〜５，０００μｍの厚さと、０．０２ｇ／ｃｃ〜０．０７ｇ／ｃｃの密度と、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項１に記載の吸収性の芯複合材。
【請求項７】
前記第１の織物が、不織材料であり、且つ前記第１及び第２の織物が、細長い積層体を少なくとも部分的に画定し、前記細長い積層体が、横幅と、長手方向幅と、前記細長い積層体の横中心線及び長手方向中心線の交差の周りに位置決めされる中心領域とを有する請求項１に記載の吸収性複合材。
【請求項８】
前記結合部位が、成形ポケットの格子を画定する複数の交差線を形成し、前記長手方向中心線から前記積層体の側部マージンに向かって延在する、一連のポケットによって画定される全ての直線が、前記長手方向中心線から６０度未満の角度で配向される請求項７に記載の吸収性複合材。
【請求項９】
前記複数のポケットが、液体吸込みの感度が高い表面トポグラフィを示す特性を前記積層体に与える、異なる膨潤容量のポケットを含む請求項７に記載の吸収性複合材。
【請求項１０】
前記複数のポケットが、異なる膨潤容量のポケットを含み、前記中心領域のポケットが、前記中心領域の外側のポケットよりも低い膨潤容量を有する請求項７に記載の吸収性複合材。
【請求項１１】
前記中心領域内の前記複数のポケットが、前記中心領域の外側のポケットよりも小さい請求項７に記載の吸収性複合材。
【請求項１２】
前記結合部位が、断続的結合点である請求項１に記載の吸収性複合材。
【請求項１３】
使い捨ての吸収性物品用の吸収性複合材積層体を製造する方法であって、
第１の織物を超吸収性粒子（ＳＡＰ）を受ける位置に運搬すること、
ＳＡＰを前記第１の織物上に堆積させ、ＳＡＰの離散凝集体を提供すること、
大きな不織布の第２の織物を運搬すること、
前記大きな不織布の繊維が、ＳＡＰ凝集体の粒子の上層内に粒子を絡ませ、それによりその間にＳＡＰ凝集体を少なくとも部分的に固定するように、前記第２の織物を第１の織物に対して位置決めすること、
前記第１及び第２の織物を結合部位網で結合し、ＳＡＰ凝集体の複数のポケットを有する細長い積層体を形成し、それにより各ポケットが、ＳＡＰ凝集体の周りに位置決めされ、且つ前記第２の織物を前記第１の織物に固定する結合部位によって画定されること、並びに
前記細長い積層体を運搬し、それにより前記大きな不織布及び前記ポケットは、前記ポケットからのＳＡＰ粒子の移動を阻害することを含む、上記方法。
【請求項１４】
前記ＳＡＰ凝集体に、吸収性マトリックスがないにように、前記堆積ＳＡＰは、吸収性マトリックスがない請求項１３に記載の方法。
【請求項１５】
前記織物を前記運搬する前に、前記第１の織物に接着パターンを塗布することが先行して、前記第１の織物上に前記超吸収性粒子を堆積させることが、予め塗布された接着パターンを有する前記第１の織物上に複数のＳＡＰ凝集体を送出することを含むようにする請求項１３に記載の方法。
【請求項１６】
前記接着剤を塗布することが、接着剤を、接着剤のない囲まれた開放領域を有する連続した開放パターンに塗布することを含む請求項１５に記載の方法。
【請求項１７】
流体通過のために間に間隙を有する離間した結合部位によって境界を示されるポケットを製造するために、前記結合が、前記ＳＡＰ凝集体の周りでの不連続結合部位の配置を使用して、前記織物を結合することを含む請求項１３に記載の方法。
【請求項１８】
結合部位の配置が、前記細長い積層体の長手方向中心線に垂直な線から１５度を超えて偏向した角度で積層体の側部マージンに向かって全体に横方向に向けられる真っ直ぐな結合線を特徴とする格子を形成する請求項１７に記載の方法。
【請求項１９】
前記結合が、第１の織物上のＳＡＰ凝集体の配置に対応するエンボス加工パターンを提供することを含み、前記エンボス加工パターンが、結合中にＳＡＰ凝集体を取り囲む不連続結合部位の配置を示すことを含む請求項１７に記載の方法。
【請求項２０】
前記パターンが、前記側部マージンへのいかなる直接的な直線経路もない格子を含む請求項１９に記載の方法。
【請求項２１】
前記大きな不織布の第２の織物が、１，０００μｍ〜５，０００μｍの厚さと、０．０２ｇ／ｃｃ〜０．０７ｇ／ｃｃの密度と、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項１３に記載の方法。
【請求項２２】
前記第１の織物に前記超吸収性粒子を堆積させることと無関係に、前記第１の織物の選択領域に超吸収性粒子を更に堆積させ、前記選択領域での前記第１及び第２の織物の結合後に形成されたＳＡＰ凝集体のポケットが、前記選択領域の外側のポケットよりも高いＳＡＰ凝集体濃度を含むようにすることを更に含む請求項１３に記載の方法。
【請求項２３】
前記結合部位が、その間に、且つ隣接するポケット間に流体間隙を画定する離間した結合点である請求項１３に記載の方法。
【請求項２４】
使い捨ての吸収性物品を製造する方法であって、
第１の織物を超吸収性粒子（ＳＡＰ）を受ける位置に運搬すること、
超吸収性粒子を前記第１の織物上に堆積させ、吸収性マトリックスのないＳＡＰの離散凝集体を提供すること、
大きな不織布の第２の織物を運搬すること、
前記大きな不織布の繊維が、前記ＳＡＰ凝集体の粒子の上層内で粒子を絡ませ、それによりＳＡＰ凝集体を少なくとも部分的に固定するように、前記第２の織物を第１の織物に対して位置決めすること、
前記第１及び第２の織物を結合部位網で結合し、ＳＡＰ凝集体の複数のポケットを有する細長い吸収性の芯積層体を形成し、それにより各ポケットが、ＳＡＰ凝集体の周りに位置決めされ、且つ前記第２の織物を前記第１の織物に固定する結合部位によって画定されること、
前記細長い積層体を運搬し、それにより前記大きな不織布及び前記ポケットは、前記ポケットからのＳＡＰ粒子の移動を阻害すること、
上部シート及び背面シートの間に前記細長い芯積層体を置き、それにより前記上部シート、背面シート、及び吸収性の芯積層体の芯エンベロープを形成し、前記上部シート及び背面シートが、前記吸収性の芯積層体を支持するシャーシを更に提供すること、
前記シャーシ内にレッグホールを形成すること、並びに
前記シャーシの端部領域を接合し、使い捨ての吸収性物品を形成し、それにより前記大きな不織布及び前記ポケットが、前記ポケットからのＳＡＰ粒子移動を阻害することを含む、上記方法。
【請求項２５】
前記織物を前記運搬する前に、前記第１の織物に接着パターンを塗布することが先行する請求項２４に記載の方法。
【請求項２６】
前記接着剤を塗布することが、接着剤を、接着剤のない囲まれた開放領域を有する連続した開放パターンに塗布することを含み、且つ前記開放領域が、前記ポケットの平均幅よりも小さい平均幅を有する請求項２５に記載の方法。
【請求項２７】
流体通過のために間に間隙を有する離間した結合点によって境界を示されるポケットを製造するために、前記結合が、前記ＳＡＰ凝集体の周りでの結合点の配置を使用して、前記織物を結合することを含む請求項２４に記載の方法。
【請求項２８】
前記結合点の配置が、細長い積層体の長手方向中心線から９０度未満の角度で、前記積層体の側部マージンに向かって全体に横方向に向けられる結合点を取る線を特徴とする格子を形成する請求項２４に記載の方法。
【請求項２９】
使い捨ての吸収性物品であって、
第１の端部マージン及び前記第１の端部マージンから長手方向に離間される第２の端部マージンによって画定されるシャーシ本体であって、前記端部マージンが、使用者のウエストの周りで締め付け可能な前及び後ウエスト領域を部分的に画定するシャーシ本体と、  上部シートと、
背面シートと、
前記上部シート及び背面シートの間に配置される吸収性複合材とを含み、前記吸収性複合材が、
第１の織物と、
前記第１の織物に結合された第２の織物と、
前記第１及び第２の織物の間に固定された吸収性粒子とを含み、
前記第１の織物が、前記第２の織物に断続的に取り付けられ、前記第１の織物及び前記第２の織物の間に置かれ、且つ超吸収性粒子（ＳＡＰ）の凝集体を含む複数のポケットを画定し、
不連続で、且つ離間した結合部位が、前記第１の織物を前記第２の織物と固定し、
前記第２の織物が、前記吸収性複合材の身体側に、且つＳＡＰ凝集体の上に位置決めされた大きな不織布材料であり、大きな不織布の繊維が超吸収性粒子を絡ませるようにし、  前記大きな不織布材料の下から延在する中間部で、前記ＳＡＰ凝集体に、吸収性マトリックスがない、上記使い捨ての吸収性物品。
【請求項３０】
前記第１の織物が、不織材料であり、且つ前記第１及び第２の織物が、横幅と、長手方向幅と、横中心線及び長手方向中心線の交差の周りに位置決めされた中心領域とを有する細長い積層体を少なくとも部分的に画定し、且つ前記複数のポケットが、前記積層体の長手方向範囲に隣接した長手方向端部領域に近接するポケットよりも大きな超吸収性粒子の濃度を有する前記中心領域に置かれるポケットを含む請求項２９に記載の使い捨ての吸収性物品。
【請求項３１】
前記結合部位が、成形ポケットの格子を画定する複数の交差線を形成し、前記長手方向中心線から前記積層体の側部マージンに向かって延在する、一連のポケット内の結合部位を通る全ての直線が、前記長手方向中心線から６０度未満の角度で配向される請求項２９に記載の使い捨ての吸収性物品。
【請求項３２】
大きな不織布基材と、
前記大きな不織布基材と結合された上部織物と、
その間に固定された超吸収性粒子（ＳＡＰ）の層であって、前記ＳＡＰを前記大きな不織布基材及び前記上部織物と相互に固定するために、前記ＳＡＰをちりばめられたホットメルト接着剤を含む層とを含む吸収性複合材。
【請求項３３】
前記大きな不織布が、１，０００μｍ〜５，０００μｍの厚さと、０．０２ｇ／ｃｃ〜０．０８ｇ／ｃｃの密度と、２０ｇ／ｍ2〜８０ｇ／ｍ2の坪量と、０．０１ｇ／ｃｃ〜０．０８ｇ／ｃｃの密度と、３００μｍを超える有効細孔径とを有する請求項３２に記載の吸収性複合材。
【請求項３４】
前記大きな不織布基材及び前記上部織物の間の結合が、ＳＡＰを取り囲む幾何学的囲いの結合パターンを画定する請求項３２に記載の吸収性複合材。
【請求項３５】
吸収性複合材を製造する方法であって、
不織布材料の第１の基材を運搬すること、
ホットメルト接着剤粒子との超吸収性粒子（ＳＡＰ）の混合物を前記運搬された第１の基材に送出すること、
前記混合物を有する前記第１の基材が運搬される時、前記第１の基材に熱を加え、それによりホットメルト接着剤粒子を活性化し、且つ前記ＳＡＰを前記ホットメルト粒子及び前記第１の基材と結合すること、並びに
第２の基材を前記第１の基材及びそれと結合されたＳＡＰ層の上に適用することを含む、上記方法。
【請求項３６】
吸収性複合材積層体を製造するために、前記第１の基材を前記第２の基材と結合することを更に含む請求項３５に記載の方法。
【請求項３７】
前記吸収性複合材積層体上に結合パターンを作り出すために、前記結合が、熱エンボス加工を使用することを含む請求項３６に記載の方法。
【請求項３８】
前記第１の基材が、大きな不織布材料である請求項３５に記載の方法。
【請求項３９】
前記大きな不織布が、１，０００μｍ〜５，０００μｍの厚さと、０．０２ｇ／ｃｃ〜０．０７ｇ／ｃｃの密度と、３０ｇ／ｍ2〜８０ｇ／ｍ2の坪量と、０．０２ｇ／ｃｃ〜０．０７ｇ／ｃｃの密度と、３００μｍを超える有効細孔径とを有する請求項３８に記載の方法。
【請求項４０】
使い捨ての吸収性物品であって、
第１の端部マージン及び前記第１の端部マージンから長手方向に離間される第２の端部マージンによって画定されるシャーシ本体であって、前記端部マージンが、使用者のウエストの周りで締め付け可能な前及び後ウエスト領域を部分的に画定するシャーシ本体と、  上部シートと、
背面シートと、
前記上部シート及び背面シートの間に配置される吸収性複合材とを含み、前記吸収性複合材が、
第１の織物と、
前記第１の織物に結合された第２の織物と、
前記第１及び第２の織物の間に接着された吸収性粒子とを含み、
前記第１の織物が、前記第２の織物に断続的に取り付けられ、前記第１の織物及び前記第２の織物の間に置かれ、且つ吸収性粒子の凝集体を含む複数の容器を画定し、
前記吸収性複合材が、第１の寸法の容器を有する一次領域と、前記第１の寸法と異なる第２の寸法の複数の容器を有する二次領域とを含む、吸収性粒子凝集体の容器の領域を含み、
前記上部シート及び前記背面シートが、前記シャーシ本体の長手方向及び横マージンを画定する、上記使い捨ての吸収性物品。
【請求項４１】
前記一次領域が、前記物品のクロッチ領域に対応し、前記クロッチ領域が、前記シャーシ本体の長手方向マージンの中間で、中心に位置し、且つ前記吸収性粒子が、超吸収性粒子である請求項４０に記載の使い捨ての吸収性衣類。
【請求項４２】
前記一次領域の容器が、前記二次領域内の容器の周囲の長さよりも大きい周囲の長さを有する請求項４１に記載の使い捨ての吸収性衣類。
【請求項４３】
前記二次領域の容器が、前記一次領域を取り囲む請求項４２に記載の使い捨ての吸収性衣類。
【請求項４４】
前記吸収性複合材が、二次領域内の容器の寸法と異なる寸法の容器を有する端部領域を更に含み、且つ前記二次領域が、前記一次領域及び端部領域の中間である請求項４３に記載の使い捨ての吸収性衣類。
【請求項４５】
前記一次領域が、第２クラスの容器を更に含み、前記第２クラスの容器が、第１クラスの容器よりも実質的に小さい周囲の長さを有し、且つ前記第２クラスの容器が、前記第１クラスの隣接した容器間の空隙を満たすように位置決めされる請求項４４に記載の使い捨ての吸収性衣類。
【請求項４６】
第１の寸法の前記容器が、前記第２の寸法の容器よりも高い超吸収性粒子の濃度を有する請求項４５に記載の使い捨ての吸収性衣類。